(57)【要約】【課題】本発明は受信器を搭載した電子装置に関し、伝送信号に対して高速応答可能でかつ安定動作のできる受信器を搭載した電子装置を提供することを目的としている。【解決手段】受光素子１１の出力電流を電圧信号に変換する電流／電圧変換器１２と、該電流／電圧変換器１２の出力をその一方の入力に、他方の入力に前記電流／電圧変換器１２の出力のピーク値と、そのオフセット電圧を補償するための第１の帰還回路の出力電圧を分圧、加算した分圧／加算器のレベルを入力する差動増幅器１３と、該差動増幅器１３の出力に接続された、無信号時の差動増幅器の出力のＤＣレベルを閾値として設定した識別器２８と、前記ピーク値を検出するピーク検出回路２１にリセット信号を入力してピーク値を強制的に放電する放電回路と、を有し、前記識別器２８の出力をその出力とするように構成される。【選択図】図１
2007266726.tif 000002
【特許請求の範囲】
【請求項１】
受光素子の出力電流を電圧信号に変換する電流／電圧変換器と、
該電流／電圧変換器の出力をその一方の入力に、他方の入力に前記電流／電圧変換器の出力のピーク値と、そのオフセット電圧を補償するための第１の帰還回路の出力電圧とを分圧、加算した分圧／加算器のレベルを入力する差動増幅器と、
該差動増幅器の出力に接続された、無信号時の差動増幅器の出力のＤＣレベルを閾値として設定した識別器と、
前記ピーク値を検出する第１のピーク検出回路にリセット信号を入力してピーク値を強制的に放電する放電回路と、
を有し、前記識別器の出力をその出力とするように構成された受信器を搭載した電子装置。
【請求項２】
前記第１のピーク検出回路のピーク値を強制放電させるリセット信号をリミッタアンプに接続し、該リミッタアンプの出力で充放電用コンデンサを強制放電させるように構成したことを特徴とする請求項１記載の受信器を搭載した電子装置。
【請求項３】
前記差動増幅器の出力を第２のピーク検出回路で検出し、該第２のピーク検出回路の出力を比較器で所定の基準電圧と比較し、該比較器でピーク検出レベルが設定レベル以下になると、受信器出力をＬレベルに固定する信号を前記比較器から前記識別器に与えるように構成したことを特徴とする請求項１記載の受信器を搭載した電子装置。
【請求項４】
前記差動増幅器の入力を第２のピーク検出回路で検出し、該第２のピーク検出回路の出力を比較器で所定の基準電圧と比較し、該比較器でピーク検出レベルが設定レベル以下になると、受信器出力をＬレベルに固定する信号を前記比較器から前記識別器に与えるように構成したことを特徴とする請求項１記載の受信器を搭載した電子装置。
【請求項５】
前記第１の帰還回路を、ローパスフィルタと、増幅器と、スイッチで構成し、受信領域、非受信領域でそれぞれ帰還回路を独立して動作させるようにしたことを特徴とする請求項１記載の受信器を搭載した電子装置。
【発明の詳細な説明】
【技術分野】
【０００１】
本発明は受信器を搭載した電子装置に関し、特に光加入伝送システムにおける光受信回路に関するものである。
【背景技術】
【０００２】
図７は光加入者伝送システムの概念図である。図に示すように、局側装置１に複数の加入者装置２を光スターカプラ３で分岐接続した構成となっている。ここで、受信時に伝送される信号（特に加入者装置２側から局側装置１への伝送路）は、送信されてくる信号がバースト状で且つレベルも加入者毎に異なる。そのため、ディジタル系のインターフェイスとして、以下の特徴を持つ受信器が必要となる。本発明は、その受信器の回路構成に関するものである。
【０００３】
図８は従来の回路構成を示すブロック図である。図において、１１は光信号を受信して電流信号を出力する受光素子である。１２は該受光素子１１の出力電流を電圧信号に変換する電流／電圧変換器である。１３はその一方の入力に該電流／電圧変換器１２の出力を受け、他方の入力にＤＣフィードバック回路の出力を受ける差動増幅器である。該差動増幅器１３からは出力１と出力２が出力される。そして、該差動増幅器１３には、ＡＧＣフィードバック回路からその振幅を調整する信号が入力されている。
【０００４】
前記したＤＣフィードバック回路は、差動増幅器１３の一方の出力１を一方の入力に、他方の出力２に接続された基準電圧Ｅ２を他方の入力に受ける第１のＤＣ識別器１４（ＤＣ識別器１）と、該ＤＣ識別器１４に接続されたダイオードＤ２と、該ダイオードＤ２のカソードとコモンライン間に接続されたコンデンサＣ２と、ダイオードＤ２とコンデンサＣ２の接続点の電圧をその一方の入力に、基準電圧ＲＥＦＤを他方の入力に受ける第２の識別器１５（ＤＣ識別器２）とから構成されている。ここで、識別器は、２つの入力の比較をする比較器である。第２の識別器１５の出力が前記差動増幅器１３の他方の入力に入っている。
【０００５】
前記したＡＧＣフィードバック回路は、その一方の入力に差動増幅器１３の出力２を、他方の入力に差動増幅器１３の出力１に接続された基準電圧Ｅ１が接続された第１のＡＧＣ識別器１６（ＡＧＣ識別器１）と、該第１の識別器１６の出力に接続されたダイオードＤ１と、該ダイオードＤ１のカソードとコモンライン間に接続されたコンデンサＣ１と、ダイオードＤ１とコンデンサＣ１の接続点の電圧をその一方の入力に、他方の入力に基準電圧ＲＥＦＡを受ける第２のＡＧＣ識別器（ＡＧＣ識別器２）とから構成されている。該第２のＡＧＣ識別器２から差動増幅器１３に対して振幅調整用の制御信号が入っている。
【０００６】
このように構成された回路において、受信信号のＨレベルに対してはＡＧＣフィードバック（可変利得制御）をかけ、Ｌレベルに対してはＤＣフィードバック（可変閾値制御）をかけることによって、出力の振幅を一定にしている。このような動作を行なう結果、それぞれの加入者制御装置２（図７参照）からバースト的に送られてくる振幅の異なる信号に対しても、Ｌレベル（出力２）とＨレベル（出力１）が安定したディジタル信号を得ることができる。
【０００７】
従来のこの種の装置としては、差動増幅器の正相出力及び逆相出力のピーク値をそれぞれ検出し、その差をとった後平滑化して差動増幅器のレファレンス電圧とすることで、受信信号から背景雑音光の影響を除去する技術が知られている（例えば特許文献１参照）。
【０００８】
また、ＡＣ結合前の信号増幅器で生じるリンギング及びノイズを除去した上で、各信号のピーク値及びボトム値を正確に検出、ホールドすることを可能とするため、リンギング及びノイズに重畳している波形に対しても、加算する電圧値が与えられた信号の１／２に小さくでき、この結果として受信感度を向上させる技術が知られている（例えば特許文献２参照）。
【０００９】
また、逆相信号のピーク値を検出するピーク検出回路に、バースト光信号のガートタイムに同期した制御信号を、リセット信号制御回路から入力させ、その制御信号の入力を受けた際、ピーク値検出回路が内部に保持しているピーク電圧の放電を行なうようにバースト光信号の受信を行なう技術が知られている（例えば特許文献３参照）
【特許文献１】特開平８−１０２７１６号公報（段落０００９〜００１０、図１、図２）。
【特許文献２】特開２０００−３６４７０号公報（段落００１４〜００１９、図１〜図３）
【特許文献３】特開平８−２５６１１９号公報（段落００１７〜００２６、図１、図２）
【発明の開示】
【発明が解決しようとする課題】
【００１０】
図８に示す従来の装置の場合、バースト信号を受信した場合、受信信号のＨレベルに対しては利得設定、Ｌレベルに対しては光素子の暗電流及び増幅器のオフセット電圧抑制を高速で応答させる必要があり、それぞれの制御回路が同一ループ内にあるため、回路の動作安定化が非常に困難であるという問題があった。
【００１１】
本発明はこのような課題に鑑みてなされたものであって、伝送信号に対して高速応答可能でかつ安定動作のできる受信器を搭載した電子装置を提供することを目的としている。
【課題を解決するための手段】
【００１２】
（１）請求項１記載の発明は、受光素子の出力電流を電圧信号に変換する電流／電圧変換器と、該電流／電圧変換器の出力をその一方の入力に、他方の入力に前記電流／電圧変換器の出力のピーク値と、そのオフセット電圧を補償するための第１の帰還回路の出力電圧を分圧、加算した分圧／加算器のレベルを入力する差動増幅器と、該差動増幅器の出力に接続された、無信号時の差動増幅器の出力のＤＣレベルを閾値として設定した識別器と、前記ピーク値を検出する第１のピーク検出回路にリセット信号を入力してピーク値を強制的に放電する放電回路と、を有し、前記識別器の出力をその出力とするように構成されたことを特徴とする。
【００１３】
（２）請求項２記載の発明は、前記第１のピーク検出回路のピーク値を強制放電させるリセット信号をリミッタアンプに接続し、該リミッタアンプの出力で充放電用コンデンサを強制放電させるように構成したことを特徴とする。
【００１４】
（３）請求項３記載の発明は、前記差動増幅器の出力を第２のピーク検出回路で検出し、該第２のピーク検出回路の出力を比較器で所定の基準電圧と比較し、該比較器でピーク検出レベルが設定レベル以下になると、受信器出力をＬレベルに固定する信号を前記比較器から前記識別器に与えるように構成したことを特徴とする。
【００１５】
（４）請求項４記載の発明は、前記差動増幅器の入力をピーク検出回路で検出し、該ピーク検出回路の出力を比較器で所定の基準電圧と比較し、該比較器でピーク検出レベルが設定レベル以下になると、受信器出力をＬレベルに固定する信号を前記比較器から前記識別器に与えるように構成したことを特徴とする。
【００１６】
（５）請求項５記載の発明は、前記第１の帰還回路を、ローパスフィルタと、増幅器と、スイッチで構成し、受信領域、非受信領域でそれぞれ帰還回路を独立して動作させるようにしたことを特徴とする。
【００１７】
６．また、この発明において、前記識別器出力に、ローパスフィルタと、増幅器と、スイッチで構成した第２の帰還回路を接続し、その帰還回路出力と前記第１の帰還回路出力を接続し、それぞれの帰還回路を受信領域と、非受信領域で交互に動作させることを特徴とする。
【００１８】
７．また、この発明において、前記分圧／加算器を２つのエミッタフォロワと、このエミッタフォロワを２つの抵抗で接続し、その接続点の電圧を前記差動増幅器の一方の入力としたことを特徴とする。
【発明の効果】
【００１９】
（１）請求項１記載の発明によれば、光加入者伝送システムで用いられるような伝送信号（バースト信号、周期的な受信レベル変動）に対して、高速応答で且つ安定動作のできる受信器を実現することができる。
【００２０】
（２）請求項２記載の発明によれば、信号受信の前にピーク検出回路の放電を強制的に行なうことにより、高速動作が可能となる。
（３）請求項３記載の発明によれば、入力信号が０の場合の出力のばたつきを抑制することが可能となる。
【００２１】
（４）請求項４記載の発明によれば、入力信号が０の場合の出力のばたつきを抑制することができる。
（５）請求項５記載の発明によれば、帰還回路にスイッチを設け、このスイッチのオン／オフを制御することで、回路動作の安定化を図ることができる。
【００２２】
６．また、この発明によれば、帰還回路を差動増幅器の出力と接続される第１の帰還回路と、識別器の出力と接続される第２の帰還回路を設け、これらを交互にオン／オフすることで、これら帰還回路をその出力側で接続して差動増幅器の入力とすることで、回路動作の更なる安定化を図ることができる。
【００２３】
７．また、この発明によれば、分圧／加算器を簡単な構成で作ることができる。
【発明を実施するための最良の形態】
【００２４】
以下、図面を参照して本発明の実施の形態例を詳細に説明する。
図１は本発明の第１の実施の形態例を示すブロック図である。図８と同一のものは、同一の符号を付して示す。入力光信号は、受光素子１１で電流信号に変換され、続く電流／電圧変換器１２で電圧信号に変換される。この電流／電圧変換器１２の出力は、差動増幅器１３の一方の入力端子に入力される。差動増幅器１３の他方の入力端子には、電流／電圧変換器１２の出力のピーク値と、差動増幅器１３のオフセット電圧を補償するための帰還回路の出力電圧を分圧、加算したレベルとを入力する。第１のピーク検出回路２１（ピーク検出回路１）は、電流／電圧変換器１２の出力のピーク値を保持する。
【００２５】
差動増幅器１３のオフセット電圧、送信光信号の消光比劣化、光カプラで発生する反射光、受光素子の暗電流による電流オフセット等を補償するための帰還回路は、差動増幅器１３の出力を入力とし、これを第１のローパスフィルタ２７（ＬＰＦ１）で平均値化する。平均値の差分を増幅器２６で所定の圧縮誤差となるように増幅し、帰還の応答速度、及び帰還回路の不要な高周波成分を除去するため、第２のローパスフィルタ２５（ＬＰＦ２）を介して分圧／加算器２４に接続している。
【００２６】
局側での受信を考えると、第１のピーク検出回路２１は、受信信号内の所定のプリアンブル以内で充電を完了する必要がある。また、放電は次の加入者の信号を受信するまでに完了させなければならないが、局側では、加入者側からの受信のタイミングを信号の周期を検出することで、予め指示するようなパルスを生成している。このパルスをリセット信号として用いることにより、受信の前に第１のピーク検出回路２１の放電を強制的に行なう。このリセット信号を用いることで、オフセット補償をするための回路定数とは無関係に第１のピーク検出回路２１の回路定数の最適化が設定できる。
【００２７】
また、図２に示すように特に受信信号の振幅が大きく、且つ無信号の時間が長い場合に、第１のピーク検出回路２１のピーク電圧は、漏れ電流等の影響でゆっくりと下がっていく。第１のピーク検出回路２１のピーク電圧は、分圧／加算器２４、差動増幅器１３を介して出力され、ＬＰＦ２で平均値化されている増幅器２６の出力はずれてしまう（差動増幅器１３の入力がずれる）。
【００２８】
この結果、差動増幅器１３は、振幅及びパルス幅等の劣化を生じてしまう。この平均値ずれを防止するため、本発明では第１の比較器２２（比較器１）及び整流素子２３で制御するような回路構成としている。その動作は、以下の通りである。即ち、ある閾値（ＶＲＥＦ１）以上のピーク電圧に対しては整流素子２３をオンすることで強制的にピーク電圧を下げ、閾値以下になると、整流素子２３をオフにすることで、漏れ電流等の影響でのみピーク電圧が下がるようにして、無信号の時間が長くてもピーク電圧を速く下げることによって、平均値がずれないような設定としている。
【００２９】
差動増幅器１３の出力には、識別器２８を接続して、信号のＬレベル（“０”），Ｈレベル（“１”）を判別する。識別器２８の識別レベル（ＶＲＥＦ３）は、無信号時の差動増幅器１３の出力は同レベルとなるため、受光素子１１及び差動増幅器１３の雑音により出力ばばたつく可能性がある。このような不具合を除去するため、差動増幅器１３の正転出力を第２のピーク検出回路２９（ピーク検出回路２）に入力し、そこで得たピーク値と無信号時のＤＣレベルより高い閾値（ＶＲＥＦ２）をそれぞれ第２の比較器３０（比較器２）に入力し、識別器２８を制御することによって、無信号時に受信器出力を強制的にＬレベルに固定することで解決することができる。
【００３０】
以上、説明したように、この実施の形態例によれば、光加入者伝送システムで用いられるような伝送信号（バースト信号、周期的な受信レベル変動）に対して、高速応答で且つ安定動作のできる受信器を実現することができる。
【００３１】
図３は本発明の第２の実施の形態例を示すブロック図である。図１と同一のものは、同一の符号を付して示す。この実施の形態例は、図１に示す第１の実施の形態例が、第２のピーク検出回路２９が差動増幅器１３の出力側から信号を取り込んでいたのに対し、この実施の形態例では、差動増幅器１３の入力側から信号を取り込んでいる点で異なる。その他の構成は、図１に示す実施の形態例と同じである。従って、その動作、効果も図１に示す回路と同じである。即ち、信号が０の場合の出力のばたつきを抑制することができる。
【００３２】
図４は本発明の第３の実施の形態例を示すブロック図である。図１と同一のものは、同一の符号を付して示す。この実施の形態例は、差動増幅器１３のオフセット電圧を補償するため、帰還回路の増幅器２６の出力にリセット信号でオン／オフするスイッチ３１（ＳＷ１）を設けたものである。スイッチ３１の出力は、ＬＰＦ２を介して分圧／加算器２４に入力されている。
【００３３】
リセット信号を制御信号としてスイッチ３１をオン／オフさせる。スイッチ３１がオンの時にはＤＣオフセットのための帰還ループが動作し、スイッチ３１がオフの時には帰還ループは断ち切られる。この時、ＬＰＦ２はスイッチ３１をオフにする直前の電圧を保持している。従って、帰還ループが切られても、直前のデータを維持しているので、図に示す回路は動作している。
【００３４】
しかも、この実施の形態例によれば、スイッチ３１オフの場合、信号伝送系に重畳しているノイズが除去されるので、ノイズに影響されない動作を実現することができる。このことで、受信領域、非受信領域でそれぞれ帰還回路を独立して動作させることが可能となり、入力信号によらず独立で帰還回路の最適な時定数を設定することが可能となる。
【００３５】
図５は本発明の第４の実施の形態例を示すブロック図である。図１と同一のものは、同一の符号を付して示す。この実施の形態例は、差動増幅器１３の出力を受けて、帰還信号を得る第１の帰還回路に加えて、識別器２８の出力を受けて帰還信号を得る第２の帰還回路を設けたものである。図において、３６は識別器２８の出力を受けるＬＰＦ３、３５は該ＬＰＦ３の出力を増幅する増幅器、３４はリセット信号の反転信号によりオン／オフするオン／オフスイッチ（ＳＷ２）、３２は該スイッチ３４の出力を受けるＬＰＦ４である。ＬＰＦ４とＬＰＦ２の出力は共通接続され、差動増幅器１３の一方の入力端子に入っている。このように構成された回路の動作を説明すれば、以下の通りである。
【００３６】
受信器出力は、識別器２８の閾値（ＶＲＥＦ３）により最適な振幅及びパルス幅を得ているが、この識別器２８出力にローパスフィルタ（ＬＰＦ３，ＬＰＦ４）、スイッチ３４、第２の増幅器３５で構成した第２の帰還回路を設けている。この帰還回路２と、前記した帰還回路２のそれぞれのローパスフィルタＬＰＦ２，ＬＰＦ４出力を接続して分圧／加算器２４に入力している。
【００３７】
スイッチＳＷ１，ＳＷ２は、リセット信号及びその反転信号を制御信号として受けて、交互にオン／オフするようになっている。これにより、受信領域、非受信領域でそれぞれ帰還回路を独立して動作させることが可能となり、入力信号によらず独立で帰還回路の最適な時定数を設定することが可能となる。
【００３８】
図６は本発明の具体的構成例を示す図である。図１と同一のものは、同一の符号を付して示す。電流／電圧変換器１２の出力にピーク検出器１及びボトム検出／比較器１を接続している。ピーク検出器１は、オペアンプ４１（オペアンプ２）と、ダイオードＤ１１とコンデンサＣ１１で構成されている。ピーク検出をダイオードの非線形の改善と電圧降下の補償のため、オペアンプ２をボルテージフォロワの帰還内に取り込んだ構成としている。
【００３９】
ボトム検出は、オペアンプ４０（オペアンプ１）と、ダイオードＤ１０と、抵抗Ｒ１１とコンデンサＣ１０で構成しており、ピーク検出器１の場合と同様に、オペアンプ１をボルテージフォロワの帰還内に取り込んだ構成としている。なお、抵抗Ｒ１０は比較器１の閾値設定用の抵抗であり、電流／電圧変換器１２のＬレベル（ＤＣレベル）より抵抗分だけ高い電圧を設定している。比較器１とダイオードＤ１２は平均値ずれを防止するために用いている。
【００４０】
ピーク検出器１の後段には、トランジスタのエミッタフォロワと抵抗による分圧器（Ｑ２０，Ｒ２０）を接続し、もう一方にはトランジスタとエミッタフォロワと抵抗による分圧器（Ｑ２１，Ｒ２１）を設け、差動増幅器１３のオフセット補償の帰還出力を接続して加算器（Ｒ２２，Ｒ２３）を介して、差動増幅器１３の反転入力端子に入力している。このように構成することにより、分圧／加算器２４（図１参照）を簡単な構成で作ることができる。即ち、トランジスタＱ２０と抵抗Ｒ２０による回路と、トランジスタＱ２１と抵抗Ｒ２１による回路と、各トランジスタＱ２０，Ｑ２１のエミッタフォロワに接続された抵抗Ｒ２２とＲ２３の接続点の電圧を差動増幅器１３の反転入力に接続した構成で、分圧／加算器２４を構成している。
【００４１】
差動増幅器１３の正転入力には、電流／電圧変換器１２に加算器の回路と同等の回路（トランジスタＱ２２，抵抗Ｒ２４，抵抗Ｒ２５）を接続し、同レベルとなるようにしている。差動増幅器１３のオフセット補償回路は、抵抗Ｒ３０，Ｒ３１とコンデンサＣ３０からなるローパスフィルタ（ＬＰＦ１）に増幅器２６を接続して誤差増幅し、抵抗Ｒ３２とコンデンサＣ３１からなるローパスフィルタ（ＬＰＦ２）を介して、分圧／加算器２４に入力されている。
【００４２】
差動増幅器１３の正転出力には識別器２８が接続される。無信号時の出力ばたつきを抑制する回路は、ピーク検出回路２９（ピーク検出回路２）と比較器３０（比較器２）とで構成される。ピーク検出回路２９は、オペアンプ４３（オペアンプ３）とダイオードＤ４０とコンデンサＣ４０より構成されている。そして、ピーク検出回路１と同様に、ダイオードＤ４０をオペアンプ３のボルテージフォロワの帰還内に取り込んだ構成となっており、差動増幅器１３の出力のピーク値を正確に検出して比較器３０（比較器２）に入力する。
【００４３】
比較器２は、差動増幅器１３の出力が閾値（抵抗Ｒ４１とＲ４０の分圧電圧）以下になった時に、出力はＨレベルにすることで識別器２８を制御し、無信号時に受信器出力をＬレベルに固定する。識別器２８の負入力端子には、抵抗Ｒ４２を定電流が流れることによる一定電圧が入力されている。
【００４４】
リセット部は、リミッタアンプ４２と、抵抗Ｒ５０，Ｒ５１，Ｒ５２と、トランジスタＱ５０とで構成される。コンデンサＣ１１に並列にトランジスタＱ５０と抵抗Ｒ５２の直列回路を接続し、このベースにリセット信号を入力してコンデンサＣ１１の電荷を抜くようになっている。また、リセット信号の振幅が変動しても確実にコンデンサＣ１１の電荷を抜くように、リミッタアンプ４２を接続し、トランジスタＱ５０のベース電圧（Ｈレベル時の電圧）が一定となるような構成としている。
【００４５】
（付記１）
受光素子の出力電流を電圧信号に変換する電流／電圧変換器と、
該電流／電圧変換器の出力をその一方の入力に、他方の入力に前記電流／電圧変換器の出力のピーク値と、そのオフセット電圧を補償するための第１の帰還回路の出力電圧を分圧、加算した分圧／加算器のレベルを入力する差動増幅器と、
該差動増幅器の出力に接続された、無信号時の差動増幅器の出力のＤＣレベルを閾値として設定した識別器と、
前記ピーク値を検出するピーク検出回路にリセット信号を入力してピーク値を強制的に放電する放電回路と、
を有し、前記識別器の出力をその出力とするように構成された受信器を搭載した電子装置。
【００４６】
（付記２）
前記ピーク検出回路のピーク値を強制放電させるリセット信号をリミッタアンプに接続し、該リミッタアンプの出力で充放電用コンデンサを強制放電させるように構成したことを特徴とする付記１記載の受信器を搭載した電子装置。
【００４７】
（付記３）
前記差動増幅器の出力をピーク検出回路で検出し、該ピーク検出回路の出力を比較器で所定の基準電圧と比較し、該比較器でピーク検出レベルが設定レベル以下になると、受信器出力を“０”レベルに固定する信号を前記比較器から前記識別器に与えるように構成したことを特徴とする付記１記載の受信器を搭載した電子装置。
【００４８】
（付記４）
前記差動増幅器の入力をピーク検出回路で検出し、該ピーク検出回路の出力を比較器で所定の基準電圧と比較し、該比較器でピーク検出レベルが設定レベル以下になると、受信器出力を“０”レベルに固定する信号を前記比較器から前記識別器に与えるように構成したことを特徴とする付記１記載の受信器を搭載した電子装置。
【００４９】
（付記５）
前記第１の帰還回路を、ローパスフィルタと、増幅器と、スイッチで構成し、受信領域、非受信領域でそれぞれ帰還回路を独立して動作させるようにしたことを特徴とする付記１記載の受信器を搭載した電子装置。
【００５０】
（付記６）
前記識別器出力に、ローパスフィルタと、増幅器と、スイッチで構成した第２の帰還回路を接続し、その帰還回路出力と前記第１の帰還回路出力を接続し、それぞれの帰還回路を受信領域と、非受信領域で交互に動作させることを特徴とする請求項６記載の受信器を搭載した電子装置。
【００５１】
（付記７）
前記分圧／加算器を２つのエミッタフォロワと、このエミッタフォロワを２つの抵抗で接続し、その接続点の電圧を前記差動増幅器の一方の入力としたことを特徴とする付記１記載の受信器を搭載した電子装置。
【図面の簡単な説明】
【００５２】
【図１】本発明の第１の実施の形態例を示すブロック図である。
【図２】平均値ずれの制御回路動作を示す図である。
【図３】本発明の第２の実施の形態例を示すブロック図である。
【図４】本発明の第３の実施の形態例を示すブロック図である。
【図５】本発明の第４の実施の形態例を示すブロック図である。
【図６】本発明の具体的回路構成例を示す図である。
【図７】光加入者伝送路の概念図である。
【図８】従来装置の構成例を示すブロック図である。
【符号の説明】
【００５３】
１１  受光素子
１２  電流／電圧変換器
１３  差動増幅器
２１  ピーク検出回路１
２２  比較器１
２３  整流素子
２４  分圧／加算器
２５  ＬＰＦ２
２６  増幅器
２７  ＬＰＦ１
２８  識別器
２９  ピーク検出回路２
３０  比較器３０
【図１】
2007266726.tif 000003
【図２】
2007266726.tif 000004
【図３】
2007266726.tif 000005
【図４】
2007266726.tif 000006
【図５】
2007266726.tif 000007
【図６】
2007266726.tif 000008
【図７】
2007266726.tif 000009
【図８】
2007266726.tif 000010